(57)【要約】  装飾品をジョイント又はヒンジに対して連結するために使用する分離部を備えた連結器具及び当該連結器具の使用方法である。連結器具は、両端部に開口部を有する細長い本体を備えている。一方の開口部は、ジョイント又はヒンジのねじを受け入れるように構成されており、他方の開口部は、装飾締結具を受け入れるように構成されている。分離タブ又は細長い心棒のねじ切りされていない部分が提供されることで、ねじと連結器具を操作でき、連結器具は、ねじの頭部とジョイント又はヒンジの表面との間に配置される。ヒンジのねじ穴のねじ山に当接させた後、ねじはヒンジのねじ穴に対して完全にねじ込まれ、分離タブ又は細長い心棒のねじ切りされていない部分は、分離部において切断され、破棄される。【選択図】  図１
2010537252.tif 000002
【特許請求の範囲】
【請求項１】
装飾品を備えた眼鏡であって、
眼鏡枠と、
当該眼鏡枠の第１の端部との間に配置された第１のヒンジにより基端部が動作可能に連結された第１の側片と、
前記眼鏡から吊り下げられた装飾品であって、前記いずれの側片からも、第１又は第２のヒンジにおけるねじからも、直接吊り下げられていない装飾品と、
を備えた眼鏡。
【請求項２】
第１及び第２の部分を有する細長い本体であって、各々の部分の第１の表面は開口部を有し、前記第１の部分の前記第１の表面の開口部は、ねじを受け入れるように構成され、前記第２の部分の前記第１の表面の開口部は、装飾締結具を受け入れるように構成された本体と、
前記細長い本体に分離可能に連結された分離タブと、
それらの間に配置された分離部であって、前記分離タブと前記細長い本体の前記第１の部分の端部の間には配置されていない分離部と、
を備えた連結器具。
【請求項３】
前記装飾締結具は、鳩目、鳩目開口部、シャンク、屈曲部、グリップ、端部を備えることを特徴とする請求項２に記載の連結器具。
【請求項４】
前記シャンクは更にロックを備え、前記ロック、前記シャンク、前記グリップは、同一平面上に延在することを特徴とする請求項３に記載の連結器具。
【請求項５】
前記シャンクと前記ロックの頂点との間の隙間の幅は、約０．０１〜約０．０２インチであることを特徴とする請求項２に記載の連結器具。
【請求項６】
前記細長い本体の前記第１の表面と前記分離タブの表面は、同一平面上に延在することを特徴とする請求項２に記載の連結器具。
【請求項７】
前記分離部は、前記分離タブと、前記装飾締結具を受け入れるように構成された開口部との間に配置されることを特徴とする請求項２に記載の連結器具。
【請求項８】
前記ねじの頭部は、分離可能に分離タブに連結されていることを特徴とする請求項２に記載の連結器具。
【請求項９】
前記第１の部分の前記開口部の直径が約０．０６７５〜約０．０８２５インチであるとき、前記分離部の幅は、０．０１０インチ+/-１０％以下であり、前記分離部の長さは約０．００５〜０．００７インチ以下であることを特徴とする請求項２に記載の連結器具。
【請求項１０】
眼鏡枠と、
当該眼鏡枠の第１の端部との間に配置された第１のヒンジにより基端部が動作可能に連結された第１の側片と、
ヒンジに動作可能に連結された連結器具であって、第１及び第２の部分を有する細長い本体であって、各々の部分の第１の表面は開口部を有し、前記第１の部分の前記第１の表面の開口部は、ねじを受け入れるように構成され、前記第２の部分の前記第１の表面の開口部は、装飾締結具を受け入れるように構成された本体と、前記細長い本体に分離可能に連結された分離タブと、それらの間に配置された分離部であって、前記分離タブと前記細長い本体の前記第１の部分の端部との間には配置されていない分離部と、を備えた連結器具と、
を備えた、装飾品を備えた眼鏡。
【請求項１１】
前記装飾締結具は、鳩目、鳩目開口部、シャンク、屈曲部、グリップ、端部を備えることを特徴とする請求項１０に記載の装飾品を備えた眼鏡。
【請求項１２】
前記装飾締結具の前記シャンクに動作可能に連結されたロックは、前記装飾締結具の前記シャンクと前記グリップの間の隙間を限定することを特徴とする請求項１０に記載の連結器具。
【請求項１３】
連結器具を眼鏡ヒンジに挿入する方法であって、
ねじ穴からねじが取り外された眼鏡ヒンジを提供するステップと、
第１及び第２の部分を有する細長い本体であって、各々の部分の第１の表面は開口部を有し、前記第１の部分の前記第１の表面の開口部は、ねじを受け入れるように構成され、前記第２の部分の前記第１の表面の開口部は、装飾締結具を受け入れるように構成された本体と、前記細長い本体に分離可能に連結された分離タブと、それらの間に配置された分離部であって、前記分離タブと前記細長い本体の前記第１の部分の端部との間には配置されていない分離部と、を備えた連結器具を提供するステップと、
ねじの頭部と、その頭部に隣接したねじ切りされた第１の部分及び前記第１のねじ切りされた第１の部分から延伸したねじ切りされていない分離可能な第２の部分を有する細長い心棒と、これらの間に配置される分離部とを備えるか、あるいは、ねじの頭部と、その頭部に隣接したねじ切りされた第１の部分を有するが前記ねじ切りされた第１の部分から延伸したねじ切りされていない第２の部分を有さない細長い心棒と、前記ねじの頭部に分離可能に連結された分離タブと、両者の間に配置された分離部とを備えるねじを提供するステップと、
ねじの頭部とヒンジの前記第１の表面との間に前記連結器具を挿入し、細長い心棒のねじ切りされた第１の部分をヒンジのねじ穴に係合させるために、前記細長い心棒の前記ねじ切りされていない第２の部分と、前記連結装置の前記分離タブとを操作することにより、前記細長い心棒のねじ切りされていない前記第２の部分を、前記連結器具の前記第１の部分の前記第１の表面の開口部、及びヒンジの前記ねじ穴に合わせるか、あるいは、ねじの頭部に分離可能に連結された前記分離タブと、前記細長い本体に分離可能に連結された前記分離タブとを操作することにより、ねじ切りされた前記第１の部分から延伸したねじ切りされていない前記第２の部分を備えていない細長い心棒の前記ねじ切りされた第１の部分を、ヒンジの前記ねじ穴に合わせることにより、ねじを回転するステップと、
を備えた方法。
【請求項１４】
前記細長い心棒の前記ねじ切りされていない第２の部分、あるいは前記ねじの頭部に分離可能に連結された前記分離タブ及び前記細長い本体に分離可能に連結された前記分離タブを、前記ねじを回転させた後に分離するステップを更に備えることを特徴とする請求項１３に記載の方法。
【請求項１５】
前記装飾締結具は、鳩目、鳩目開口部、シャンク、屈曲部、グリップ、端部を備えることを特徴とする請求項１３に記載の方法。
【請求項１６】
前記シャンクは更にロックを備え、前記ロック、前記シャンク、前記グリップは、同一平面上に延在することを特徴とする請求項１５に記載の方法。
【請求項１７】
前記シャンクと前記ロックの頂点の間の隙間の幅は、約０．０１〜約０．０２インチであることを特徴とする請求項１３に記載の方法。
【請求項１８】
前記細長い本体の前記第１の表面と前記分離タブの表面は、同一平面上に延在することを特徴とする請求項１３に記載の方法。
【請求項１９】
前記分離部は、前記分離タブと、前記装飾締結具を受け入れるように構成された開口部との間に配置されることを特徴とする請求項１３に記載の方法。
【請求項２０】
前記ねじの頭部は、分離タブに分離可能に連結されていることを特徴とする請求項１３に記載の方法。
【請求項２１】
前記第１の部分の前記開口部の直径が約０．０６７５〜約０．０８２５インチであるとき、前記分離部の幅は、０．０１０インチ+/-１０％以下であり、前記分離部の長さは約０．００５〜約０．００７インチ以下であることを特徴とする請求項１３に記載の方法。
【発明の詳細な説明】
【技術分野】
【０００１】
本発明は、概して、締結具に関する。特に本発明は、連結器具、及び、ジョイントにおける当該連結器具の使用に関する。
【背景技術】
【０００２】
小型で手持ち式の締結用器具は、機械及び組立産業において使用されている。
このような小型で手持ち式の締結用器具の操作を容易にするための改良の必要性が増大している。
【発明の概要】
【課題を解決するための手段】
【０００３】
本発明の第１の態様は、装飾品を備えた眼鏡を提供する。この装飾品を備えた眼鏡は、眼鏡枠と、当該眼鏡枠の第１の端部との間に配置された第１のヒンジにより基端部が動作可能に連結された第１の側片（眼鏡のつる）と、前記眼鏡から吊り下げられた装飾品であって、前記いずれの側片からも、第１又は第２のヒンジにおけるねじからも、直接吊り下げられていない装飾品と、を備える。
【０００４】
本発明の第２の態様は、
眼鏡枠と；
当該眼鏡枠の第１の端部との間に配置された第１のヒンジにより基端部が動作可能に連結された第１の側片と；
ヒンジに動作可能に連結された連結器具であって、第１及び第２の部分を有する細長い本体であって、各々の部分の第１の表面は開口部を有し、前記第１の部分の前記第１の表面の開口部は、ねじを受け入れるように構成され、前記第２の部分の前記第１の表面の開口部は、装飾締結具を受け入れるように構成された本体と、前記細長い本体に分離可能に連結された分離タブと、それらの間に配置された分離部であって、前記分離タブと前記細長い本体の前記第１の部分の端部との間には配置されていない分離部と、を備えた連結器具と；
を備えた、装飾品を備えた眼鏡を提供する。
【０００５】
本発明の第３の態様は、連結器具を眼鏡ヒンジに挿入する方法を提供する。この方法は、
ねじ穴からねじが取り外された眼鏡ヒンジを提供するステップと；
第１及び第２の部分を有する細長い本体であって、各々の部分の第１の表面は開口部を有し、前記第１の部分の前記第１の表面の開口部は、ねじを受け入れるように構成され、前記第２の部分の前記第１の表面の開口部は、装飾締結具を受け入れるように構成された本体と、前記細長い本体に分離可能に連結された分離タブと、それらの間に配置された分離部であって、前記分離タブと前記細長い本体の前記第１の部分の端部との間には配置されていない分離部と、を備えた連結器具を提供するステップと；
ねじの頭部と、その頭部に隣接したねじ切りされた第１の部分及び前記第１のねじ切りされた第１の部分から延伸したねじ切りされていない分離可能な第２の部分を有する細長い心棒と、これらの間に配置される分離部とを備えるか、あるいは、ねじの頭部と、その頭部に隣接したねじ切りされた第１の部分を有するが前記ねじ切りされた第１の部分から延伸したねじ切りされていない第２の部分を有さない細長い心棒と、前記ねじの頭部に分離可能に連結された分離タブと、両者の間に配置された分離部とを備えるねじを提供するステップと；
ねじの頭部とヒンジの前記第１の表面との間に前記連結器具を挿入し、細長い心棒のねじ切りされた第１の部分をヒンジのねじ穴に係合させるために、前記細長い心棒の前記ねじ切りされていない第２の部分と、前記連結装置の前記分離タブとを操作することにより、前記細長い心棒のねじ切りされていない前記第２の部分を、前記連結器具の前記第１の部分の前記第１の表面の開口部、及びヒンジの前記ねじ穴に合わせるか、あるいは、ねじの頭部に分離可能に連結された前記分離タブと、前記細長い本体に分離可能に連結された前記分離タブとを操作することにより、ねじ切りされた前記第１の部分から延伸したねじ切りされていない前記第２の部分を備えていない細長い心棒の前記ねじ切りされた第１の部分を、ヒンジの前記ねじ穴に合わせることにより、ねじを回転するステップと；
を備える。
【図面の簡単な説明】
【０００６】
【図１】本発明の実施形態にかかる連結器具の平面図を示す。
【図２】本発明の実施形態にかかる連結器具の、図１で表示された線２−２に沿った縦方向断面図を示す。
【図３】本発明の実施形態にかかる連結器具の、図２で表示された縦方向断面図を表し、かつ、図５で表示された、連結器具の分解縦方向断面図を表す。
【図４】本発明の実施形態にかかる図３で表示された装飾締結具８０の分解縦方向断面図を表す。
【図５】本発明の実施形態にかかる装飾品を備えた眼鏡の側面図を表す。
【図６Ａ】本発明の実施形態にかかる連結器具を眼鏡ヒンジに挿入する方法のフローチャートを表す。
【図６Ｂ】本発明の実施形態にかかる連結器具を眼鏡ヒンジに挿入する方法のフローチャートを表す。
【図６Ｃ】本発明の実施形態にかかる連結器具を眼鏡ヒンジに挿入する方法のフローチャートを表す。
【発明を実施するための形態】
【０００７】
図１〜５は、第１及び第２の部分１２、１３を有する細長い本体１４を備えた連結器具１０を表している。前記第１及び第２の部分１２、１３各々の第１の表面５０は、開口部３０、２５を有する。第１の部分１２の第１の表面５０の開口部３０は、ねじ７０を受け入れるように構成されており、第２の部分１３の第１の表面５０の開口部２５は、装飾締結具８０を受け入れるように構成されている。連結器具１０は、細長い本体１４に分離可能に連結された分離タブ３７と、両者の間に配置される分離部３５を備えており、分離部３５は、分離タブ３７と細長い本体１４の第１の部分１２の端部Ａとの間には配置されていない。
【０００８】
図１は、連結器具１０の平面図を表している。一つの実施形態では、細長い本体１４の端部ＡとＢの間の長さＬ１は、約０．２２５インチ〜約０．２７５インチであってもよい。開口部３０、２５は、第１の表面５０と、第１の表面５０に相対する表面との両方を貫通して延伸している。
【０００９】
一つの実施形態では、開口部３０、２５の中心は、連結器具１０の長手方向軸３１上に位置してもよい。開口部３０、２５の中心は、連結器具１０の長手方向軸３１に沿って約０．１１２〜約０．１３８インチだけ離してもよい。
【００１０】
開口部３０の周辺部上のＥ点及び開口部２５の周辺部上のＦ点は、各開口部３０及び２５の周辺部の隣接する部分における、直近の隣接点を画定する。一つの実施形態では、Ｅ点及びＦ点は、約０．０３５〜約０．０４５インチである長さＬ４により隔てられている。
【００１１】
一つの実施形態では、開口部３０は、楕円形で、約０．０６７５〜０．０８２５インチの直径を有していてもよい。
【００１２】
一つの実施形態では、開口部２５は、長円形で、約０．０２０インチ+/-１０％の幅及び約０．０６６+/-１０％の長さを有してもよい。
【００１３】
一つの実施形態では、連結器具１０の細長い本体１４の第１及び第２の部分１２、１３は、第１の表面５０と同一平面上にある８の字形状の部分である。点１、２は、第１の端部１２の直径を画定し、点３、４は、連結器具１０の細長い本体１４の第２の端部１３の直径を画定している。第１の端部１２は、点１、２から、第１の部分１２と第２の部分１３の中間部分５の点６、７に向かって細くなり、第２の端部１３は、点３、４から、第１の部分１２と第２の部分１３の中間部分５の点６、７に向かって細くなっている。これにより、細長い本体１４は、平面８の字形状を有している。これ以降は、「細くなる（ｔａｐｅｒ）」という用語は、第１の部分１２と第２の部分１３の中間部分５の点６、７に向かう、細長い物体の厚さ又は幅の段階的減少として定義される。本実施形態では、中間部分５のＥ点及びＦ点の間の長さＬ４は、第１及び第２の部分１２、１３のどちらの直径よりも狭い。
【００１４】
一つの実施形態では、第１及び第２の部分１２、１３の直径は、約０．１０〜０．１３インチであってもよい。
【００１５】
分離部３５は、細長い本体１４を分離タブ３７に分離可能に連結させる。これ以降、「分離部」は、分離タブ３７と細長い本体１４の遠位端Ｂの間の分離可能な連結として定義される。これ以降、「細長い本体１４の遠位端」は、細長い本体１４の第１の端部１２の開口部３０に対して、細長い本体１４に沿った最も遠い点として定義される。
【００１６】
連結器具１０の実施形態において、分離部は好適には、分離タブ３７と細長い本体１４の近接端Ａとの間には配置されていない。これ以降は、「細長い本体１４の近接端」は、細長い本体１４の第１の端部１２の開口部３０に対して、細長い本体１４に沿った直近の点として定義される。
【００１７】
これ以降、「分離可能なカップリング」又は「分離可能な連結」は、細長い本体１４の遠位端Ｂと分離タブ３７の点Ｃとの間の機械的及び物理的カップリングを形成、分離（破壊）又は固着、切断することとして定義される。
【００１８】
これ以降、「動作可能に連結された」又は「動作可能なカップリング」は、固着又は結合される構成要素を自由に回転、旋回、摺動させるような物理的及び機械的な取り付け又は結合が可能であることとして定義される。
【００１９】
細長い本体１４、分離タブ３７及び分離部３５を含む連結器具１０は、ステンレス鋼、真ちゅう、ニッケル/銀、カーボンスチール、チタン又は他の適切な金属又は合金から成るものであってもよい。
【００２０】
一つの実施形態では、分離タブ３７の幅Ｌ２は、約０．２２５〜約０．２７５インチであってもよく、Ｃ点とＤ点の間の分離タブ３７の長さＬ３は、約０．４５〜約０．５５インチであってもよい。
【００２１】
一つの実施形態では、開口部３０の直径が約０．０６７５〜０．０８２５インチであるとき、分離部３５の幅は、０．０１０インチ+/-１０％以下であり、分離部３５の長さは約０．００５〜０．００７インチ以下である。
【００２２】
図２は、連結器具１０の図１で表された線２−２に沿った縦方向断面図を示し、さらに、ねじ７０、及び、シリンダ６２に旋動可能に連結された第１及び第２のストラップ６０、６１を備えたヒンジ６６を更に示している。シリンダ６２は、ねじ穴６４を有している。ねじ７０は、分離部７５を介して分離タブ７４を備えている。ねじ７０は、ねじ切りされた第１の部分７６と、ねじ切りされていない第２の部分７４と、それらの間の分離部７５とを有していてもよい。あるいは、ねじ７０は、ねじ切りされていない第２の部分７４を備えていないねじ切りされた第１の部分７６を有していてもよい。当該実施形態では、ねじ７０の頭部７７は分離タブ７２に分離可能に、両者の間に配置された分離部７１により連結されていてもよい。ねじ７０は、２００８年８月６日付け米国特許出願Ｓ/Ｎ：１２/１８７，２５４号の図１Ａ、１Ｂ、２Ａ、２Ｂ、３Ａ、３Ｂ及び関連する明細書において更に本願の発明者であるナンシー  テデスキにより、開示されており、ここに参照により組み込まれている。
【００２３】
一つの実施形態では、連結器具１０は好適には、ねじの頭部７７の第１の表面７８及びヒンジ６６の第１の表面６５、及び特定の装飾を吊すスリット等の開口部２５を有する第２の端部１３との間に組み込まれていても良い。連結器具１０は、好適には、ねじ７０のねじ切りされた第２の部分７４を開口部３０、更にはヒンジ６６のねじ穴６４に矢印７３の方向に挿入することにより取り付けられてもよい。
【００２４】
ねじ７０のねじ切りされていない第２の部分７４は、ヒンジ６６のねじ穴６４に挿入され、ねじ７０のねじ切りされた第１の部分７６は、ヒンジ６６のねじ穴６４の少なくとも一つのねじ山６３を捉える。ねじ７０はねじ切りされていない第２の部分７４を時計回りに回転させることにより、ねじ穴６４に締め付けられ、ねじの頭部７７の第１の表面７８は、細長い本体１４の第１の端部１２の第１の表面５０と同一平面となる。
【００２５】
あるいは、ねじ７０がねじ切りされていない第２の部分７４を備えないねじ切りされた第１の部分７６を有し、分離タブ７２が分離可能にねじの頭部７７に連結される実施形態では、ねじ７０は、分離タブ７２及びねじ切りされた第１の部分７６を時計回りに回転させることにより、ねじ穴６４に締め付けられ、ねじの頭部７７の第１の表面７８が、細長い本体１４の第１の端部の第１の表面５０と同一平面となってもよい。これ以降、「分離可能なカップリング」又は「分離可能な連結」は、分離タブ３７の点Ｃと細長い本体１４の遠位端Ｂとの間の機械的及び物理的カップリングを形成、分離（破壊）又は固着、切断することとして定義される。
【００２６】
分離タブ３７を、細長い本体１４の遠位端Ｂに、分離部３５を介して分離可能に連結するか、ねじの頭部７７に分離可能に連結すると、細長い本体１４、例えば二重ワッシャーの好適な取り付けが可能となる。つまり、ねじ７０を開口部３０を介して挿入し、ねじ７０のねじ切りされた第１の部分７６をねじ穴６４に挿入すると、分離タブ３７の表面４０の不規則性による、又は細長い本体１４の非平面性による、何らの障害又は干渉を受けることなく、ねじの頭部７７の第１の表面７８は、細長い本体１４の第１の端部１２の第１の表面５０と同一平面となる。なぜなら、分離タブ３７は、細長い本体１４の近接端Ａに対して分離可能に連結されていないからである。同様に、その後の分離部３５からの分離タブ３７の分離は、細長い本体１４の第１の表面５０に対して、ねじの頭部７７の第１の表面７８を締め付けて同一平面にすることで細長い本体１４を取り付けることにより、阻害されず、あるいは干渉されることはない。なぜなら分離タブ３７は、細長い本体１４の近接端Ａに分離可能に連結されていないからである。
【００２７】
細長い本体１４、例えば二重ワッシャーは、寸法及び形状が可変である。分離タブ３７は、分離部３５により二重ワッシャーに取り付けられ、二重ワッシャーの取り付け後に、分離部３５において分離されてもよい。
【００２８】
図３は、図２に示された連結器具１０の縦方向断面図と、図５に示された、分離可能に連結された分離タブ３７、７２が分離部３５、７１において分離され、装飾締結具８０が細長い本体１４の第２の端部１３に動作可能に連結された後の連結器具１０の分解縦方向断面図を表している。装飾締結具８０は、鳩目９０、鳩目開口部８３、シャンク８７、ロック８２、屈曲部８４、グリップ８８、端部８１を備えている。装飾締結具８０の端部８１は、細長い本体１４の第２の端部１３の開口部２５に挿入され、ロック８２がシャンク８７とグリップ８８の間の隙間８９に延び出ることにより、ロック８２は、細長い本体１４の第２の端部１３の開口部２５から装飾締結具８８が外れるのを阻止できる。
【００２９】
鳩目開口部８３は、例えば、一端が鳩目開口部８３に挿通されて鳩目９０に締結され、他端が装飾８５の鳩目に結合される紐、又は鳩目９０と装飾８５の鳩目を接続するスプリット・リング・ワッシャーといった締結具８６を用いることで、装飾８５に動作可能に連結される。
【００３０】
図４は、図３に図示された装飾締結具８０の分解縦方向断面図を表す。装飾締結具８０は、鳩目９０、鳩目開口部８３、シャンク８７、ロック８２、屈曲部８４、グリップ８８、端部８１を備えている。ロック８２は、シャンク８７とグリップ８８の間の隙間８９に延び出ることにより、装飾締結具８０の端部８１が細長い本体１４の第２の端部１３の開口部２５に挿入された場合に、細長い本体１４の第２の端部１３の開口部２５から装飾締結具８０が外れるのを阻止できる。
【００３１】
一つの実施形態では、屈曲部８４の頂点Ｇと装飾締結具の端部８１の間の長さＬ５は、約０．２４〜約０．３０インチであってもよい。他の実施形態では、屈曲部８４の先端と装飾締結具の端部８１の間の長さＬ５は、約０．４２〜約０．５３インチであってもよい。
【００３２】
一つの実施形態では、ロック８２の頂点Ｈと屈曲部８４の頂点Ｇの間の長さＬ６は、約０．１３〜約０．１７インチであってもよい。あるいは、ロック８２の頂点Ｈと屈曲部８４の頂点Ｇの間の長さＬ６は、約０．２４〜約０．３１インチであってもよい。
【００３３】
一つの実施形態では、装飾締結具８０のシャンク８７の幅Ｌ７は、約０．０２７〜約０．３３インチであってもよい。
【００３４】
一つの実施形態では、シャンク８７とグリップ８８の間の隙間８９の幅は、約０．０４５〜約０．０５５インチであってもよい。
【００３５】
一つの実施形態では、シャンク８７とロック８２の頂点Ｈの間の隙間８９の幅は、約０．０１〜約０．０２インチであってもよい。
【００３６】
一つの実施形態では、鳩目開口部８３の直径は、約０．０４５〜約０．０５５インチであってもよい。
【００３７】
一つの実施形態では、鳩目９０の直径は、約０．０９５〜約０．１１５インチであってもよい。
【００３８】
一つの実施形態では、屈曲部８４の頂点Ｇから鳩目９０の端部８１までの長さＬ８は、約０．３６〜約０．４４インチである。あるいは、屈曲部８４の頂点Ｇから鳩目９０の端部８１までの長さＬ８は、約０．５６〜約０．６９インチである。
【００３９】
図５は、眼鏡枠、第１及び第２の側片（つる）９５、９６、連結器具１０、ヒンジ６６及びねじ７０を備えた装飾品を備えた眼鏡９５の、分離可能に連結された分離タブ３７、７２が分離部３５、７１において分離された後の側面図を示している。装飾締結具８０は、動作可能に細長い本体１４の第２の端部１３に連結されている。装飾締結具８０は更に、図３及び関連する明細書に記載されており、鳩目９０、鳩目開口部８３、シャンク８７、ロック８２、屈曲部８４、グリップ８８及び端部８１を備えている。
【００４０】
一つの実施形態では、装飾品を備えた眼鏡１００は、眼鏡枠９０を備えている。装飾品を有する器具９５は、第１及び第２の側片９５、９６を有しており、第１の側片９５の基端９１は、枠９０の第１の端部９２にその両者の間に配置された第１のヒンジ６６を介して動作可能に連結されている。装飾８５は、器具９５から吊り下げられていてもよく、前記装飾８５は、側片９５、９６のいずれからも、あるいは第１のヒンジ６６のねじ７０からも直接吊り下げられていない。
【００４１】
一つの実施形態では、装飾品を備えた眼鏡９５は、眼鏡枠９０、第１の側片９５を備えており、前記第１の側片９５の基端９１は、枠９０の第１の端部９２に、両者の間に配置される第１のヒンジ６６によって動作可能に連結されている。装飾品を備えた眼鏡９５は、ヒンジ６６に動作可能に連結された連結器具１０を備えており、当該連結器具は、第１及び第２の部分１２、１３を有する細長い本体１４を備えており、各部分１２、１３の第１の表面５０は、開口部３０、２５を有しており、第１の部分１２の第１の表面５０の開口部３０は、連結器具１０をヒンジ６６に動作可能に連結させるためのねじ７０を受け入れるように構成されており、第２の部分１３の第１の表面５０の開口部２５は、装飾締結具８０を受け入れるように構成されている。連結器具１０は、細長い本体１４に分離可能に連結されている分離タブ３７と、両者の間に設けられた分離部３５を備えている。本実施形態では、分離部３５は、分離タブ３７と細長い本体１４の第１の部分１２の端部Ａとの間には配置されていない。
【００４２】
図６Ａ〜６Ｃは、図１〜５に図示され、かつ、本明細書中の関連する部分に記載された連結器具１０を眼鏡枠９０のヒンジ６６に挿入する方法１００のフローチャートを示している。
【００４３】
ステップ１０５は、ねじ穴６４からねじ７０が取り外された眼鏡ヒンジ６６を提供している。
【００４４】
方法１００のステップ１１０は、連結器具１０を提供する。当該連結器具は、第１及び第２の部分１２、１３を有する細長い本体１４を備えている。各部分１２、１３の第１の表面５０は開口部３０、２５を有している。第１の部分１２の第１の表面５０の開口部３０は、連結器具１０を動作可能にヒンジ６６に連結するためのねじを受け入れるように構成されている。第２の部分１３の第１の表面５０の開口部２５は、装飾締結具８０を受け入れるように構成されている。ステップ１１０は更に、細長い本体１４に分離可能に連結された分離タブ３７、及び両者の間に設けられた分離部３５を備える連結器具１０を提供しており、分離部３５は、分離タブ３７と、細長い本体１４の第１の部分１２の端部Ａとの間には配置されていない。
【００４５】
方法１００のステップ１１５は、ねじ７０を提供する。当該ねじ７０は、ねじ７０の頭部７７と、ねじ７０の頭部７７に隣接するねじ切りされた第１の部分７６と、ねじ切りされた第１の部分７６から延伸し分離可能に連結されたねじ切りされていない第２の部分７４、及び両者（ねじ切りされていない第２の部分７４とねじ切りされた第１の部分７６）の間に配置される分離部７５を有する細長い心棒７９とを有するか、あるいは、ねじ７０の頭部７７と、ねじ切りされた第１の部分７６から延伸したねじ切りされていない第２の部分７４を備えていない、ねじ７０の頭部７７に隣接するねじ切りされた第１の部分７６を有する細長い心棒７９と、ねじ７０の頭部７７に分離可能に連結された分離タブ７２と、両者の間に配置された分離部７１とを有する。
【００４６】
方法１００のステップ１２０は、ねじ７０の頭部７７とヒンジ６６の第１の表面６５との間に連結器具１０を挿入し、細長い心棒７９のねじ切りされた第１の部分７６をヒンジ６６のねじ穴６４のねじ山６３に係合させるために、細長い心棒７９のねじ切りされていない第２の部分７４と連結器具１０の分離タブ３７とを操作することにより、細長い心棒７９のねじ切りされていない第２の部分７４を、連結器具１０の第１の部分１２の第１の表面５０の開口部３０、及びヒンジ６６のねじ穴６４に合わせるか、あるいは、ねじ７０の頭部７７に分離可能に連結された分離タブ７２と、細長い本体１４に分離可能に連結された分離タブ３７を操作することにより、ねじ切りされた第１の部分７６から延伸したねじ切りされていない第２の部分７４を備えていない細長い心棒７９のねじ切りされた第１の部分７６を合わせることにより、ねじ７０を回転するステップを提供する。
【００４７】
本発明の実施形態の記載は、本発明の理解のために上記のように提供される。本発明は、本明細書に記載の特定の実施形態に限定されるものではなく、本発明の範囲を逸脱しない限りにおいて、ここに当業者に明らかとなる種々の改変、再構成及び代替が可能である。従って、以下の特許請求の範囲は、本発明の真の趣旨及び範囲内に属するすべてのかかる改変及び変更を含むものである。
【図１】
2010537252.tif 000003
【図２】
2010537252.tif 000004
【図３】
2010537252.tif 000005
【図４】
2010537252.tif 000006
【図５】
2010537252.tif 000007
【図６Ａ】
2010537252.tif 000008
【図６Ｂ】
2010537252.tif 000009
【図６Ｃ】
2010537252.tif 000010
【国際調査報告】
2010537252.tif 000011